(57)【要約】量子技術の分野に属する量子ノイズプロセスの解析方法、装置、機器及び記憶媒体を提供する。該方法は、ターゲット量子系の量子ノイズプロセスに対して量子プロセストモグラフィを行い、量子ノイズプロセスの動力学的なマッピングを取得するステップ（２０１）と、動力学的なマッピングから量子ノイズプロセスのテンソル移転マッピングを抽出するステップ（２０２）と、テンソル移転マッピングに基づいて量子ノイズプロセスを解析するステップ（２０３）と、を含む。テンソル移転マッピングは、量子ノイズプロセスの動力学的な進化を表し、即ち、量子ノイズプロセスの動力学的なマッピングの経時的な進化法則を反映する。これによって、量子ノイズプロセスのテンソル移転マッピングに基づいて量子ノイズプロセスを解析することで、純粋な量子プロセストモグラフィに比べて、量子ノイズプロセスに関するより豊富、且つ全面的な情報を取得することができるため、量子ノイズプロセスをより正確、且つ全面的に解析することができる。【選択図】図２
2021533519.tif 000002
【特許請求の範囲】
【請求項１】
コンピュータ機器に適用される、量子ノイズプロセスの解析方法であって、
ターゲット量子系の量子ノイズプロセスに対して量子プロセストモグラフィを行い、前記量子ノイズプロセスの動力学的なマッピングを取得するステップと、
前記動力学的なマッピングに基づいて前記量子ノイズプロセスのテンソル移転マッピングを抽出するステップであって、前記テンソル移転マッピングは前記量子ノイズプロセスの動力学的な進化を表す、ステップと、
前記テンソル移転マッピングに基づいて前記量子ノイズプロセスを解析するステップと、を含む、方法。
【請求項２】
前記動力学的なマッピングは、前記量子ノイズプロセスのＫ個の時点での動力学的なマッピングを含み、前記Ｋは正の整数であり、
前記動力学的なマッピングに基づいて前記量子ノイズプロセスのテンソル移転マッピングを抽出するステップは、
前記量子ノイズプロセスの前記Ｋ個の時点での動力学的なマッピングに基づいて、前記量子ノイズプロセスの前記Ｋ個の時点でのテンソル移転マッピングを計算するステップ、を含む、請求項１に記載の方法。
【請求項３】
前記量子ノイズプロセスの前記Ｋ個の時点での動力学的なマッピングに基づいて、前記量子ノイズプロセスの前記Ｋ個の時点でのテンソル移転マッピングを計算するステップは、
以下の式に従って前記量子ノイズプロセスのｎ番目の時点でのテンソル移転マッピングＴｎを計算するステップ、を含み、
【数１】
2021533519.tif 000094
ここで、Ｔ１＝ε１、εｎは前記量子ノイズプロセスの前記ｎ番目の時点での動力学的なマッピングを表し、εｍは前記量子ノイズプロセスのｍ番目の時点での動力学的なマッピングを表し、Ｔｎ−ｍは前記量子ノイズプロセスのｎ−ｍ番目の時点でのテンソル移転マッピングを表し、ｎ及びｍは何れも正の整数である、請求項２に記載の方法。
【請求項４】
前記テンソル移転マッピングに基づいて前記量子ノイズプロセスを解析するステップは、
前記量子ノイズプロセスの第１時点でのテンソル移転マッピングのノルムが何れも所定閾値よりも小さい場合、前記量子ノイズプロセスがマルコフ過程であると決定するステップであって、前記第１時点は前記Ｋ個の時点のうちの１番目の時点以外の他の時点である、ステップと、
前記量子ノイズプロセスの第２時点でのテンソル移転マッピングのノルムが前記所定閾値よりも大きい場合、前記量子ノイズプロセスが非マルコフ過程であると決定するステップであって、前記第２時点は前記Ｋ個の時点のうちの１番目の時点以外の少なくとも１つの時点である、ステップと、を含む、請求項２に記載の方法。
【請求項５】
前記テンソル移転マッピングに基づいて前記量子ノイズプロセスを解析するステップは、
前記Ｋ個の時点のテンソル移転マッピングに基づいて、前記量子ノイズプロセスの後続期間における状態進化を予測するステップ、を含む、請求項２に記載の方法。
【請求項６】
前記Ｋ個の時点のテンソル移転マッピングに基づいて、前記量子ノイズプロセスの後続期間における状態進化を予測するステップは、
以下の式に従って前記量子ノイズプロセスのｎ番目の時点ｔｎでの量子状態ρ（ｔｎ）を計算するステップ、を含み、
【数２】
2021533519.tif 000095
ここで、Ｔｍはｍ番目の時点のテンソル移転マッピングを表し、ρ（ｔｎ−ｍ）はｎ−ｍ番目の時点ｔｎ−ｍの量子状態を表し、ｎ及びｍは何れも正の整数である、請求項５に記載の方法。
【請求項７】
前記テンソル移転マッピングに基づいて前記量子ノイズプロセスを解析するステップは、
前記量子ノイズプロセスが定常状態ノイズである場合、前記テンソル移転マッピングに基づいて、前記量子ノイズプロセスの２次記憶カーネルを抽出するステップと、
前記量子ノイズプロセスの２次記憶カーネルに基づいて、前記量子ノイズプロセスの相関関数を計算するステップと、
前記量子ノイズプロセスの相関関数に対してフーリエ変換を行い、前記量子ノイズプロセスの周波数スペクトルを取得するステップと、を含む、請求項１乃至６の何れかに記載の方法。
【請求項８】
前記Ｋ個の時点のテンソル移転マッピングに基づいて、前記量子ノイズプロセスの２次記憶カーネルを抽出するステップは、
Ｎ個の異なるパラメータを選択し、前記量子ノイズプロセスに対して実験を行い、実験から前記Ｎ個の異なるパラメータにそれぞれ対応する記憶カーネルを抽出するステップと、
前記Ｎ個の異なるパラメータにそれぞれ対応する記憶カーネルに基づいて、前記量子ノイズプロセスの２次記憶カーネルを算出するステップと、を含む、請求項７に記載の方法。
【請求項９】
前記量子ノイズプロセスの２次記憶カーネルに基づいて、前記量子ノイズプロセスの相関関数を計算するステップは、
以下の式に従って前記量子ノイズプロセスの相関関数Ｃαα’を数値的に抽出するステップ、を含み、
【数３】
2021533519.tif 000096
ここで、κ２は前記量子ノイズプロセスの２次記憶カーネルを表し、ｔｎはｎ番目の時点を表し、Ｃαα’（ｔｎ）は前記ｎ番目の時点ｔｎでの２次相関関数であり、κｅｘｐは実験により取得された近似の２次記憶カーネルを表し、δｔｎ，ｔ０はクロネッカー関数であり、λｎは調整可能なパラメータであり、Ｃαα’（ｔｎ−１）はｎ−１番目の時点ｔｎ−１での２次相関関数である、請求項７に記載の方法。
【請求項１０】
前記テンソル移転マッピングに基づいて前記量子ノイズプロセスを解析するステップは、
前記ターゲット量子系に含まれるｓ個の量子デバイスについて、前記ｓ個の量子デバイスのそれぞれに対応するテンソル移転マッピングに基づいて、前記ｓ個の量子デバイス間の相関テンソル移転マッピングを計算するステップであって、前記ｓは１よりも大きい整数である、ステップと、
前記相関テンソル移転マッピングに基づいて、前記ｓ個の量子デバイス間の相関ノイズのノイズ源を解析するステップと、を含む、請求項１乃至６の何れかに記載の方法。
【請求項１１】
量子ノイズプロセスの解析装置であって、
ターゲット量子系の量子ノイズプロセスに対して量子プロセストモグラフィを行い、前記量子ノイズプロセスの動力学的なマッピングを取得する取得モジュールと、
前記動力学的なマッピングから前記量子ノイズプロセスのテンソル移転マッピングを抽出する抽出モジュールであって、前記テンソル移転マッピングは前記量子ノイズプロセスの動力学的な進化を表す、抽出モジュールと、
前記テンソル移転マッピングに基づいて前記量子ノイズプロセスを解析する解析モジュールと、を含む、装置。
【請求項１２】
プロセッサとメモリとを含むコンピュータ機器であって、
前記メモリには、少なくとも１つの命令、少なくとも１つのプログラム、コードセット又は命令セットが記憶され、
前記少なくとも１つの命令、前記少なくとも１つのプログラム、前記コードセット又は前記命令セットは、請求項１乃至１０の何れかに記載の方法を実現するように、前記プロセッサによりロードされて実行される、コンピュータ機器。
【請求項１３】
コンピュータ読み取り可能な記憶媒体であって、
前記記憶媒体には、少なくとも１つの命令、少なくとも１つのプログラム、コードセット又は命令セットが記憶され、
前記少なくとも１つの命令、前記少なくとも１つのプログラム、前記コードセット又は前記命令セットは、請求項１乃至１０の何れかに記載の方法を実現するように、プロセッサによりロードされて実行される、記憶媒体。
【請求項１４】
コンピュータプログラムプロダクトであって、
前記コンピュータプログラムプロダクトが実行される際に、請求項１乃至１０の何れかに記載の方法を実行させる、コンピュータプログラムプロダクト。
【発明の詳細な説明】
【技術分野】
【０００１】
本願は、２０１９年５月１０日に中国特許庁に出願した出願番号が２０１９１０３９０７２２．５号、発明名称が「量子ノイズプロセスの解析方法、装置、機器及び記憶媒体」の中国特許出願に基づく優先権を主張するものであり、その全内容を本願に参照により援用する。
【０００２】
本発明の実施例は、量子技術の分野に関し、特に量子ノイズプロセス解析技術に関する。
【背景技術】
【０００３】
量子ノイズプロセスは、量子系若しくは量子デバイスと環境との相互作用、又は制御自体の不完全性による量子情報の汚染プロセスである。
【０００４】
関連技術では、量子プロセストモグラフィ（ＱＰＴ：Ｑｕａｎｔｕｍ  Ｐｒｏｃｅｓｓ  Ｔｏｍｏｇｒａｐｈｙ）を利用して量子ノイズプロセスの動力学的なマッピングの関連情報を抽出する。量子プロセストモグラフィとは、ノイズチャネルに一群の標準量子状態を入力し、一連の測定プロセスにより量子ノイズプロセスの数学的な記述を再構築することを指す。
【０００５】
純粋な量子プロセストモグラフィは、取得された量子ノイズプロセスに関する情報が限られているため、量子ノイズプロセスを正確、且つ全面的に解析するには不十分である。
【発明の概要】
【発明が解決しようとする課題】
【０００６】
本発明の実施例は、関連技術に存在する上記の技術的問題を解決することができる量子ノイズプロセスの解析方法、装置、機器及び記憶媒体を提供する。
【課題を解決するための手段】
【０００７】
本発明の実施例の１つの態様では、コンピュータ機器に適用される、量子ノイズプロセスの解析方法であって、ターゲット量子系の量子ノイズプロセスに対して量子プロセストモグラフィを行い、前記量子ノイズプロセスの動力学的なマッピングを取得するステップと、前記動力学的なマッピングに基づいて前記量子ノイズプロセスのテンソル移転マッピングを抽出するステップであって、前記テンソル移転マッピングは前記量子ノイズプロセスの動力学的な進化を表す、ステップと、前記テンソル移転マッピングに基づいて前記量子ノイズプロセスを解析するステップと、を含む、方法を提供する。
【０００８】
本発明の実施例のもう１つの態様では、量子ノイズプロセスの解析装置であって、ターゲット量子系の量子ノイズプロセスに対して量子プロセストモグラフィを行い、前記量子ノイズプロセスの動力学的なマッピングを取得する取得モジュールと、前記動力学的なマッピングから前記量子ノイズプロセスのテンソル移転マッピングを抽出する抽出モジュールであって、前記テンソル移転マッピングは前記量子ノイズプロセスの動力学的な進化を表す、抽出モジュールと、前記テンソル移転マッピングに基づいて前記量子ノイズプロセスを解析する解析モジュールと、を含む、装置を提供する。
【０００９】
本発明の実施例のもう１つの態様では、プロセッサとメモリとを含むコンピュータ機器であって、前記メモリには、少なくとも１つの命令、少なくとも１つのプログラム、コードセット又は命令セットが記憶され、前記少なくとも１つの命令、前記少なくとも１つのプログラム、前記コードセット又は前記命令セットは、上記の量子ノイズプロセスの解析方法を実現するように、前記プロセッサによりロードされて実行される、コンピュータ機器を提供する。
【００１０】
本発明の実施例のもう１つの態様では、コンピュータ読み取り可能な記憶媒体であって、前記記憶媒体には、少なくとも１つの命令、少なくとも１つのプログラム、コードセット又は命令セットが記憶され、前記少なくとも１つの命令、前記少なくとも１つのプログラム、前記コードセット又は前記命令セットは、上記の量子ノイズプロセスの解析方法を実現するように、プロセッサによりロードされて実行される、記憶媒体を提供する。
【００１１】
本発明の実施例のもう１つの態様では、コンピュータプログラムプロダクトであって、前記コンピュータプログラムプロダクトが実行される際に、上記の量子ノイズプロセスの解析方法を実行させる、コンピュータプログラムプロダクトを提供する。
【００１２】
本発明の実施例に係る態様は、少なくとも以下の有利な効果を有する。
【００１３】
本発明に係る態様では、量子ノイズプロセスに対して量子プロセストモグラフィを行い、量子ノイズプロセスの動力学的なマッピングを取得し、量子ノイズプロセスの動力学的なマッピングから量子ノイズプロセスのテンソル移転マッピングをさらに抽出する。テンソル移転マッピングは、量子ノイズプロセスの動力学的な進化を表し、即ち、量子ノイズプロセスの動力学的なマッピングの経時的な進化法則を反映する。これによって、純粋な量子プロセストモグラフィに比べて、量子ノイズプロセスに関するより豊富、且つ全面的な情報を取得することができるため、量子ノイズプロセスのテンソル移転マッピングに基づいて量子ノイズプロセスを解析する際に、より豊富、且つ全面的な情報に基づいて量子ノイズプロセスをより正確、且つ全面的に解析することができる。
【図面の簡単な説明】
【００１４】
本発明の実施例に係る態様をより明確に説明するために、以下は実施例の説明に必要な図面を簡単に紹介する。なお、以下に説明される図面は単なる本発明の実施例であり、当業者は創造的な作業を行うことなく、これらの図面に基づいて他の図面を得ることができる。
【図１】本発明の技術の全体的なフローチャートである。
【図２】本発明の１つの実施例に係る量子ノイズプロセスの解析方法のフローチャートである。
【図３】シミュレーション環境における複数の実験結果を例示的に示す概略図である。
【図４】シミュレーション環境における複数の実験結果を例示的に示す概略図である。
【図５】シミュレーション環境における複数の実験結果を例示的に示す概略図である。
【図６】シミュレーション環境における複数の実験結果を例示的に示す概略図である。
【図７】シミュレーション環境における複数の実験結果を例示的に示す概略図である。
【図８】シミュレーション環境における複数の実験結果を例示的に示す概略図である。
【図９】実環境における複数の実験結果を例示的に示す概略図である。
【図１０】実環境における複数の実験結果を例示的に示す概略図である。
【図１１】実環境における複数の実験結果を例示的に示す概略図である。
【図１２】実環境における複数の実験結果を例示的に示す概略図である。
【図１３】実環境における複数の実験結果を例示的に示す概略図である。
【図１４】実環境における複数の実験結果を例示的に示す概略図である。
【図１５】本発明の１つの実施例に係る量子ノイズプロセスの解析装置のブロック図である。
【図１６】本発明のもう１つの実施例に係る量子ノイズプロセスの解析装置のブロック図である。
【図１７】本発明の１つの実施例に係るコンピュータ機器の構成の概略図である。
【発明を実施するための形態】
【００１５】
本発明の目的、解決手段、利点をより明確にするために、以下は、図面を参照しながら本発明の実施形態をさらに詳細に説明する。
【００１６】
本発明の実施例を説明する前に、まず、本発明に係る用語を解釈、説明する。
【００１７】
１．量子系：運動則が量子力学に従う宇宙全体の一部である。
【００１８】
２．量子状態：量子系の全ての情報は量子状態ρにより表される。ρはｄ×ｄの複素行列であり、ここで、ｄは量子系の次元である。
【００１９】
３．量子ノイズプロセス：量子系若しくは量子デバイスと環境との相互作用、又は制御自体の不完全性による量子情報の汚染プロセスである。数学的には、このプロセスは、ハイパー演算子で表示されるチャネルであり、高次元に拡張すると、行列で表示されてもよい。
【００２０】
４．記憶カーネル：量子状態に作用する演算子であり、環境により引き起こされるシステムのデコヒーレンスに関する全ての情報を含む。
【００２１】
５．２次記憶カーネル：記憶カーネルの量子系と環境の結合強度についての２次級数展開である。
【００２２】
６．ノイズの２次相関関数：ノイズの周波数スペクトルを計算するための、システムノイズの２つの異なる時点での相関関数である。
【００２３】
７．テンソル移転マッピング（ＴＴＭ：Ｔｅｎｓｏｒｉａｌ  Ｔｒａｎｓｆｅｒ  Ｍａｐｐｉｎｇ）：量子ノイズプロセスの動力学的なマッピングから再帰的に抽出された一組のマッピングであり、この一組のマッピングは、量子系の記憶カーネルをエンコードしており、量子系の動力学的な進化（ｄｙｎａｍｉｃａｌ  ｅｖｏｌｕｔｉｏｎ）を予測し、ノイズの性質を判断するために用いられてもよい。
【００２４】
８．量子プロセストモグラフィ：ノイズチャネルに一連の標準量子状態を入力し、一連の測定プロセスにより量子ノイズプロセスの数学的な記述を再構築する。
【００２５】
量子情報処理では、量子系の全ての情報は、量子状態の時間ｔに伴う進化ρ（ｔ）により表される。ρ（ｔ）はｄ×ｄの複素行列である。量子プロセスは、量子情報処理プロセス及び量子ノイズプロセスを含み、システムと環境が初期状態で分離可能な状態である場合、動力学的なマッピングで表されてもよい。
【００２６】
【数１】
2021533519.tif 000003
ここで、Ａｋもｄ×ｄの行列であり、且つ
2021533519.tif 000004
を満たし、環境の量子系への影響のｋ番目の成分を表し、Ｉは単位行列である。ここで、
2021533519.tif 000005
はＡｋのエルミート共役を表し、即ち、転置をとってから複素共役をとる。有限次元の複素行列空間が完全であるため、ｄ×ｄ行列空間における一組の直交基底行列集合｛Ｅｉ｝を定義すると、以下の式を得ることができる。
【００２７】
【数２】
2021533519.tif 000006
ここで、
2021533519.tif 000007
、
2021533519.tif 000008
は複素数の集合を表し、Ｅｍは｛Ｅｉ｝の要素であり、ｉ及びｍは何れも正の整数である。
【００２８】
このように、以下の式を得ることができる。
【００２９】
【数３】
2021533519.tif 000009
ここで、
【００３０】
【数４】
2021533519.tif 000010
、複素変換行列χのインデックスがｍ，ｎの要素であり、
2021533519.tif 000011
はＥｎのエルミート共役を表し、Ｅｎは｛Ｅｉ｝における要素であり、ρは入力状態を表す。
【００３１】
関連技術では、量子プロセストモグラフィに基づく量子ノイズプロセスの解析方法が提供される。ｄ２×ｄ２個の線形独立の入力状態ρｊを用いて、各入力状態ρｊを量子ノイズプロセスに伝達し、出力状態ε（ρｊ）を取得する。入力状態が完全であるため、出力状態は入力状態の線形的な組み合わせとして表すことができる。
【００３２】
【数５】
2021533519.tif 000012
ここで、
2021533519.tif 000013
、ε（ρｊ）は量子状態ρｊの動力学的なマッピング後の出力量子状態である。このように、同一の量子状態ρｊを複数回入力し、出力状態に対して量子状態トモグラフィを行うことで、合計係数ｃｊｋを実験的に解くことができる。具体的なプロセスは以下の通りである。
【００３３】
【数６】
2021533519.tif 000014
ここで、Ｂｍ，ｎ，ｊ，ｋは複素数であり、Ｂｍ，ｎ，ｊ，ｋは｛ｍ，ｎ｝及び｛ｊ，ｋ｝インデックスにより構成された複素行列と見なされ、ｍ、ｎ、ｊ及びｋは何れも正の整数である。この場合、
【００３４】
【数７】
2021533519.tif 000015
｛ρｉ｝が線形独立であるため、以下の式を得ることができる。
【００３５】
【数８】
2021533519.tif 000016
Ｂｍ，ｎ，ｊ，ｋを転置することで、以下の式を得ることができる。
【００３６】
【数９】
2021533519.tif 000017
χｍ，ｎに量子ノイズプロセスの動力学的なマッピングの全ての情報が含まれているため、量子プロセストモグラフィによりχｍ，ｎが取得されると、量子ノイズプロセスの動力学的なマッピングの全ての情報が取得される。
【００３７】
しかし、純粋な量子プロセストモグラフィでは、取得された量子ノイズプロセスに関する情報が限られ、量子ノイズプロセスを正確、且つ全面的に解析するには十分ではない。例えば、量子ノイズプロセスがマルコフ過程であるか、それとも非マルコフ過程であるかを判定しておらず、量子ノイズプロセスの周波数スペクトルを取得しておらず、量子系における異なる量子デバイス間の相関ノイズを解析していない。
【００３８】
上記の技術的問題を解決するために、本発明の実施形態は、量子ノイズプロセスの解析方法を提供する。図１は本発明の技術の全体的なフローチャートである。本発明に係る技術では、量子ノイズプロセスに対して量子プロセストモグラフィを行い、量子ノイズプロセスの動力学的なマッピングを取得し、量子ノイズプロセスの動力学的なマッピングから量子ノイズプロセスのテンソル移転マッピングをさらに抽出し、該テンソル移転マッピングに基づいて量子ノイズプロセスを解析する。ここで、テンソル移転マッピングは、量子ノイズプロセスの動力学的な進化を表し、即ち、量子ノイズプロセスの動力学的なマッピングの経時的な進化法則を反映する。これによって、量子ノイズプロセスのテンソル移転マッピングに基づいて量子ノイズプロセスを解析することで、純粋な量子プロセストモグラフィに比べて、量子ノイズプロセスに関するより豊富、且つ全面的な情報を取得することができるため、量子ノイズプロセスをより正確、且つ全面的に解析することができる。
【００３９】
本発明に係る技術は、例えば量子コンピュータ、量子セキュア通信、量子インターネット、又はその他の量子系などの任意の量子系の量子ノイズプロセスの解析に適用される。量子系が量子ノイズの影響を受けるため、量子系の性能への影響は非常に深刻であり、量子系の実用化を妨げる最大の障害となっている。従って、量子ノイズプロセスを解析し、ノイズの性質を知ることは、量子系の開発にとって非常に重要である。本発明に係る技術は、量子ノイズプロセスのテンソル移転マッピングに基づいて量子ノイズプロセスを解析し、以下の解析内容を含んでもよい。図１に示すように、例えば、マルコフ過程の判断を行い、即ち、量子ノイズプロセスがマルコフ過程であるか、それとも非マルコフ過程であるかを判定し、非マルコフノイズについて特別なノイズ抑制スキームを設定し、例えば動力学的なデカップリングによりノイズの発生を抑制してもよい。状態進化の予測を行い、即ち量子ノイズプロセスの状態進化を予測してもよい。相関関数及び周波数スペクトルの抽出を行い、即ち、量子デバイスを製造する際に対応する周波数帯域のフィルタを統合するように、量子ノイズプロセスの相関関数及び周波数スペクトルを取得してもよい。相関ノイズの解析を行い、即ち、相関ノイズを抑制するための対応するスキームを設計するように、量子系における異なる量子デバイス間の相関ノイズを解析し、相関ノイズのノイズ源を取得してもよい。従って、本発明に係る技術は、量子ノイズプロセスに関するより豊富、且つ全面的な情報を取得することができるため、量子系の性能向上のためにより多い情報を提供することができる。
【００４０】
図２は本発明の１つの実施例に係る量子ノイズプロセスの解析方法のフローチャートである。該方法はコンピュータ機器に適用されてもよく、該コンピュータ機器は、データ処理及び記憶機能を有する任意の電子機器であってもよく、例えばＰＣ（Ｐｅｒｓｏｎａｌ  Ｃｏｍｐｕｔｅｒ：パーソナルコンピュータ）、サーバ、コンピュータホストなどの電子機器であってもよい。該方法は、以下のステップ（ステップ２０１〜ステップ２０３）を含んでもよい。
【００４１】
ステップ２０１：ターゲット量子系の量子ノイズプロセスに対して量子プロセストモグラフィを行い、量子ノイズプロセスの動力学的なマッピングを取得する。
【００４２】
以上は、量子系の量子ノイズプロセスに対して量子プロセストモグラフィを行い、量子ノイズプロセスの動力学的なマッピングを取得することについて既に説明したため、ここでその説明を省略する。
【００４３】
好ましくは、本実施例では、量子ノイズプロセスにおける離散の時点に対して量子プロセストモグラフィを行ってもよく、例えばＫ個の異なる時点で量子プロセストモグラフィを行う場合、量子ノイズプロセスのＫ個の時点での動力学的なマッピングを取得してもよく、Ｋは１以上の整数である。好ましくは、上記のＫ個の時点のうち、隣接する２つの時点の間の間隔の時間長さは等しくなる。なお、隣接する２つの時点の間の間隔の時間長さは等しくなくてもよく、本実施例はこれに限定されない。
【００４４】
ステップ２０２：動力学的なマッピングに基づいて量子ノイズプロセスのテンソル移転マッピングを抽出する。
【００４５】
本発明の実施例では、量子ノイズプロセスのテンソル移転マッピングは、該量子ノイズプロセスの動力学的な進化を表し、即ち、量子ノイズプロセスの動力学的なマッピングの経時的な進化法則を反映する。
【００４６】
好ましくは、ステップ２０１において量子ノイズプロセスのＫ個の時点での動力学的なマッピングが取得された場合、ステップ２０１の１つの可能な態様では、量子ノイズプロセスのＫ個の時点での動力学的なマッピングに基づいて、量子ノイズプロセスのＫ個の時点でのテンソル移転マッピングを計算してもよい。例示的な実施例では、Ｋ個の時点のテンソル移転マッピングを再帰的に抽出する。例えば、以下の式に従って、量子ノイズプロセスのｎ番目の時点でのテンソル移転マッピングＴｎを計算する。
【００４７】
【数１０】
2021533519.tif 000018
ここで、Ｔ１＝ε１、εｎは量子ノイズプロセスのｎ番目の時点での動力学的なマッピングを表し、εｍは該量子ノイズプロセスのｍ番目の時点での動力学的なマッピングを表し、Ｔｎ−ｍは該量子ノイズプロセスのｎ−ｍ番目の時点でのテンソル移転マッピングを表し、ｎ及びｍは何れも正の整数である。
【００４８】
ステップ２０３：テンソル移転マッピングに基づいて量子ノイズプロセスを解析する。
【００４９】
量子ノイズプロセスのＫ個の時点でのテンソル移転マッピングを抽出した後に、それに応じて量子ノイズプロセスを解析してもよい。
【００５０】
例示的な実施例では、Ｔｎを決定した後に、定義に従って、ｎ＞１となり、｜Ｔｎ｜の値が無視できるほど小さい場合、量子ノイズプロセスがマルコフ過程であると見なしてもよい。そうでない場合、該量子ノイズプロセスが非マルコフ過程であると見なしてもよい。即ち、量子ノイズプロセスの第１時点でのテンソル移転マッピングのノルムが何れも所定閾値よりも小さい場合、量子ノイズプロセスがマルコフ過程であると決定し、第１時点はＫ個の時点のうちの１番目の時点以外の他の時点である。量子ノイズプロセスの第２時点でのテンソル移転マッピングのノルムが所定閾値よりも大きい場合、量子ノイズプロセスが非マルコフ過程であると決定し、第２時点はＫ個の時点のうちの１番目の時点以外の少なくとも１つの時点である。
【００５１】
上記の方法により、量子ノイズプロセスのテンソル移転マッピングに基づいて、量子ノイズプロセスがマルコフ過程であるか、それとも非マルコフ過程であるかを判定することができる。非マルコフノイズについて特別なノイズ抑制スキームを設定し、例えば動力学的なデカップリングによりノイズの発生を抑制してもよい。
【００５２】
また、動力学的なマッピングに比べて、量子系の開放環境における進化を記述する一般的な方程式は、非時間局所性の量子マスタ方程式であり、量子ノイズプロセスの数学的構造をよりよく明らかにすることができる。この方程式は微分積分方程式である。
【００５３】
【数１１】
2021533519.tif 000019
ここで、ρ（ｔ）は量子系の時間ｔでの量子状態を表し、ｄ×ｄの複素行列で表される。Ｌｓはリウビル演算子であり、量子系の進化プロセスにおけるコヒーレントの部分を表す。ｓは積分パラメータである。κ（ｔ）は記憶カーネルであり、環境により引き起こされるシステムのデコヒーレンスに関する全ての情報を含む。量子ノイズプロセスのＬｓ及びκ（ｔ）が取得されると、該ノイズメカニズムを完全に知ることができる。本発明の技術の基本的な思想は、実験及び量子プロセストモグラフィによりテンソル移転マッピングを計算し、Ｌｓ及びκ（ｔ）の関連情報を抽出することである。
【００５４】
一方、量子系と環境の共同進化は、共同ハミルトニアンにより決定される。共同ハミルトニアンは以下のように表されてもよい。
【００５５】
【数１２】
2021533519.tif 000020
ここで、Ｈｓは量子系のハミルトニアンであり、Ｈｓｂは量子系と環境の相互作用ハミルトニアンであり、σｉαはシステムのｉ番目の量子ビット（ｑｕｂｉｔ）に作用するα種類目のパウリ演算子（Ｐａｕｌｉ  Ｏｐｅｒａｔｏｒ）であり、ここで、ｉ及びαは何れも正整数のインデックスであり、Ｂｉα（ｔ）はｉ番目の量子ビットと結合されるα種類目の環境演算子（ｂａｔｈ  ｏｐｅｒａｔｏｒ）である。ここで、α＝ｘ，ｙ，ｚは時空間の３つの方向を表す。ｇｉはシステムと環境との結合強度（ｃｏｕｐｌｉｎｇ  ｓｔｒｅｎｇｔｈ  ｂｅｔｗｅｅｎ  ｓｙｓｔｅｍ  ａｎｄ  ｂａｔｈ）である。
【００５６】
量子系の状態関数の進化は以下の通りである。
【００５７】
【数１３】
2021533519.tif 000021
ここで、ρ（ｔ）は量子系の時間ｔでの量子状態を表し、ρ（０）は量子系の初期の量子状態を表し、ρＢは環境の量子状態を表し、ＴｒＢは環境の自由度について部分トレース（ｐａｒｔｉａｌ  ｔｒａｃｅ）演算を求めることを表し、ｅｘｐ＋及びｅｘｐ−はそれぞれ時計回り及び反時計回りの時間順序指数演算子（ｃｈｒｏｎｏｌｏｇｉｃａｌ  ｏｐｅｒａｔｏｒ）であり、ε（ｔ）は量子系の時間ｔでの動力学的な進化を表し、ｉは単位純虚数であり、ｓは積分パラメータである。
【００５８】
ｔｋ＋１−ｔｋ＝δｔ（ｋは正の整数である）となるように時間が離散化されている場合、時間の経過に伴って進化する一組の動力学的なマッピング
2021533519.tif 000022
を定義してもよい。実験上、これらの動力学的なマッピングは、異なる時点で量子プロセストモグラフィを行うことで取得されてもよい。
【００５９】
テンソル移転マッピングに関する上記の式の定義により、εｎをＴｎで表し、上述した状態関数の式に代入することで、以下の式を得ることができる。
【００６０】
【数１４】
2021533519.tif 000023
ここで、ρ（ｔｎ）はｎ番目の時点ｔｎの量子状態を表し、ρ（ｔｎ−ｍ）はｎ−ｍ番目の時点ｔｎ−ｍの量子状態を表し、Ｔｍはｍ番目の時点のテンソル移転マッピングを表す。この式から明らかに分かるように、ノイズが存在する場合、量子系の状態進化は量子系自体の履歴的な進化に依存する。一般的には、動力学的な進化の履歴への依存は、所定の時間スパンを超えない。これは、上記の式の畳み込みにより切り捨てを行い、Ｋ（Ｋは正の整数である）個の時点を保留することでノイズの状態への影響を正確に推定することができることを意味し、即ちｔ＞ｔＫの項目を全て破棄してもよい。このように、短期間の動力学的なマッピングの量子プロセストモグラフィによりこの期間のテンソル移転マッピングを取得することができる。その後、この短期間のテンソル移転マッピングを用いて、長期間の開放系進化を予測してもよい。ここで、ｎ番目の時点ｔｎでの量子状態ρ（ｔｎ）は上記の式により算出されてもよい。また、予測された量子状態と実験とを直接比較して、テンソル移転マッピングにより開放系動力学を記述する有効性を検証してもよい。言い換えれば、本発明の技術の有効性の予備的な判断基準を提供する。
【００６１】
以上のことから、本発明に係る態様では、量子ノイズプロセスに対して量子プロセストモグラフィを行い、量子ノイズプロセスの動力学的なマッピングを取得し、量子ノイズプロセスの動力学的なマッピングから量子ノイズプロセスのテンソル移転マッピングをさらに抽出する。テンソル移転マッピングは、量子ノイズプロセスの動力学的な進化を表し、即ち、量子ノイズプロセスの動力学的なマッピングの経時的な進化法則を反映する。これによって、純粋な量子プロセストモグラフィに比べて、量子ノイズプロセスに関するより豊富、且つ全面的な情報を取得することができるため、量子ノイズプロセスのテンソル移転マッピングに基づいて量子ノイズプロセスを解析する際に、より豊富、且つ全面的な情報に基づいて量子ノイズプロセスをより正確、且つ全面的に解析することができる。
【００６２】
また、本発明に係る態様では、量子ノイズプロセスのテンソル移転マッピングに基づいて、量子ノイズプロセスがマルコフ過程であるか、それとも非マルコフ過程であるかを判定することができる。量子ノイズプロセスのある期間内のテンソル移転マッピングに基づいて、該量子ノイズプロセスの後続期間における状態進化を予測することができる。
【００６３】
例示的な実施例では、量子ノイズプロセスのテンソル移転マッピングが抽出された後に、それに基づいて量子ノイズプロセスの相関関数及び周波数スペクトルをさらに取得してもよい。このプロセスは、以下のステップを含んでもよい。
【００６４】
１．量子ノイズプロセスが定常状態ノイズである場合、量子ノイズプロセスのテンソル移転マッピングに基づいて、量子ノイズプロセスの２次記憶カーネルを抽出する。
【００６５】
定常状態ノイズ（例えばガウス定常状態ノイズ）の場合、ノイズの性質はノイズプロセスの相関関数により決定される。ノイズプロセスの相関関数は、該ノイズプロセスの２次記憶カーネルに基づいて算出されてもよい。
【００６６】
本発明の実施例では、量子ノイズプロセスについて、該量子ノイズプロセスが定常状態ノイズである場合、該量子ノイズプロセスのテンソル移転マッピングに基づいて、該量子ノイズプロセスの２次記憶カーネルを抽出する。
【００６７】
時間が離散化され、時間ステップ長さδｔの２次に近似されていることを考慮すると、テンソル移転マッピングの近似を取得してもよい。
【００６８】
【数１５】
2021533519.tif 000024
ここで、δｔは時間間隔（ｔｉｍｅ  ｓｔｅｐ）であり、δｎ，１はクロネッカー関数（Ｋｒｏｎｅｃｋｅｒ  ｆｕｎｃｔｉｏｎ）であり、ｎ＝１の場合にその値は１であり、それ以外の場合にその値は０であり、ｎは正の整数である。κ（ｔｎ）は、時間ｔｎでの記憶カーネルの値である。
【００６９】
一方、開放系理論から、動力学的な記憶カーネルκの正確な式は以下の通りである。
【００７０】
【数１６】
2021533519.tif 000025
ここで、
【００７１】
【数１７】
2021533519.tif 000026
はマッピング演算子であり、
【００７２】
【数１８】
2021533519.tif 000027
となり、Ｌはシステムと環境に作用する共同リウビル演算子であり、ρＳＢはシステムと環境の共同状態（ｊｏｉｎｔ  ｓｔａｔｅ  ｏｆ  ｓｙｓｔｅｍ  ａｎｄ  ｂａｔｈ）であり、Ｑ＝Ｉ−ＰはＰと単位演算子Ｉ（ｉｄｅｎｔｉｔｙ  ｏｐｅｒａｔｏｒ）との差である。
【００７３】
一般的な量子系では、ノイズはプロセスにおいて予備的に制御されるため、量子系と環境との結合強度は比較的弱くなる。ターゲット量子系と環境が弱く結合している場合、２次摂動近似を確立できるため、以下の式を得ることができる。
【００７４】
【数１９】
2021533519.tif 000028
κ２（ｔ）は２次記憶カーネルの時間ｔでの値であり、Ｃ＊αα’（ｔ）はＣαα’（ｔ）の複素共役である。なお、上記の式はシュレーディンガー表示におけるものであり、共同システムのハミルトニアンが時間に伴って変化するものでないと仮定する。ここで、２次相関関数Ｃαα’（ｔ）は以下のように定義される。
【００７５】
【数２０】
2021533519.tif 000029
それは一組の環境相関関数である。２次摂動に基づいて、動力学的なマッピングを実験で抽出し、量子プロセストモグラフィによりテンソル移転マッピングを取得し、近似により記憶カーネルκｅｘｐを取得してもよい。即ち、κｅｘｐは、実験で得られた近似の２次記憶カーネルである。
【００７６】
ターゲット量子系と環境が強く結合している場合、２次摂動はもはや適切な近似ではないため、より適切な近似を得るためにより高次の項が必要であるが、依然として実験データからテンソル移転マッピングを抽出することで２次記憶カーネルを抽出してもよい。具体的なステップは以下の通りである。Ｎ個の異なるパラメータを選択し、量子ノイズプロセスに対して実験を行い、実験からＮ個の異なるパラメータにそれぞれ対応する記憶カーネルを抽出し、該Ｎ個の異なるパラメータにそれぞれ対応する記憶カーネルに基づいて、量子ノイズプロセスの２次記憶カーネルを算出する。
【００７７】
まず、Ｎ次の切り捨て近似記憶カーネルを定義する。
【００７８】
【数２１】
2021533519.tif 000030
そして、システムの記憶カーネルがそれにより近似できると仮定する。次に、パラメータが調整可能なシステムがあると仮定し、各実験でシステムパラメータωｓ，ｉを調整でき、そのハミルトニアンは以下の通りである。
【００７９】
【数２２】
2021533519.tif 000031
ここで、ｉはｉ番目のパラメータを選択して行われた実験を表し、σｚはパウリｚ演算子
2021533519.tif 000032
である。選択されたパラメータωｓ，ｉ（ωｓ，ｉは実験が到達できる範囲に属する）について、ハミルトニアンを正規化し、以下の式を得ることができる。
【００８０】
【数２３】
2021533519.tif 000033
ここで、
2021533519.tif 000034
は正規化されたハミルトニアンであり、
2021533519.tif 000035
となる。Ｎ個の異なるωｓ，ｉについて実験を行うことで、物理単位のない一組の記憶カーネルを構築でき、その関係は以下の通りである。
【００８１】
【数２４】
2021533519.tif 000036
ここで、γｉ＝ωｓ，０／ωｓ，ｉは正規化パラメータであり、
2021533519.tif 000037
はωｓ，ｉの場合は２ｎ次の記憶カーネルを表す。このように、以下の行列を定義できる。
【００８２】
【数２５】
2021533519.tif 000038
そして、以下の方程式がある。
【００８３】
【数２６】
2021533519.tif 000039
ここで、ＡはＮ次の正規化パラメータ行列であり、方程式の右側の記憶カーネルは、量子プロセストモグラフィ及びデータ処理により実験から直接抽出されてもよい。Ａがフルランク行列であるため、線形方程式を解いて物理単位のない２次乃至Ｎ次の記憶カーネルを取得することにより、２次記憶カーネルが取得される。
【００８４】
２．量子ノイズプロセスの２次記憶カーネルに基づいて、量子ノイズプロセスの相関関数を計算する。
【００８５】
好ましくは、以下の式に従って量子ノイズプロセスの相関関数Ｃαα’を数値的に抽出する。
【００８６】
【数２７】
2021533519.tif 000040
ここで、κ２は量子ノイズプロセスの２次記憶カーネルを表し、ｔｎはｎ番目の時点を表し、Ｃαα’（ｔｎ）は上記のｎ番目の時点ｔｎでの２次相関関数であり、κｅｘｐは実験により取得された近似の２次記憶カーネルを表し、δｔｎ，ｔ０はクロネッカー関数であり（ｎ＝０の場合、その値は１であり、それ以外の場合、その値は０である）、λｎは調整可能なパラメータであり、Ｃαα’（ｔｎ−１）はｎ−１番目の時点ｔｎ−１での２次相関関数である。なお、λｎは、目的関数が最小化された後でも、相関関数が連続的なものであることを確保するために用いられる。λｎの選択は、まず初期値を選択し、目的関数の大きさを観察し、反復的に調整することで行われてもよく、その値の選択は一定のロバスト性を有する。
【００８７】
好ましくは、非ガウス定常状態ノイズの場合、ノイズの統計的特性を十分に表現するために、２次よりも高い相関関数が必要である。以上は、この線形方程式
【００８８】
【数２８】
2021533519.tif 000041
を解くことでノイズの２次相関関数を取得することを紹介した。非ガウス定常状態ノイズを処理する場合、ノイズの記憶カーネルは以下のように記述されていると仮定してもよい。
【００８９】
【数２９】
2021533519.tif 000042
このより広義的な記憶カーネルに基づいて、上述したスキームに基づいて以下の式を得ることができる。
【００９０】
【数３０】
2021533519.tif 000043
この線形方程式を解くことで、２次以上の次数の相関関数を取得することができる。
【００９１】
３．量子ノイズプロセスの相関関数に対してフーリエ変換を行い、量子ノイズプロセスの周波数スペクトルを取得する。
【００９２】
量子ノイズプロセスの相関関数が取得されると、該相関関数に対してフーリエ変換を行い、該量子ノイズプロセスの周波数スペクトルＪαα’（ω）を取得してもよい。
【００９３】
【数３１】
2021533519.tif 000044
このような量子ノイズプロセスの周波数スペクトルを取得する方法は、量子ノイズ（システムがノイズ源にフィードバックする）又は古典的なノイズに限定されず、特定のノイズ種類に限定されない。
【００９４】
以上のことから、本発明に係る技術では、量子ノイズプロセスのテンソル移転マッピングを抽出した後に、それに基づいて量子ノイズプロセスの相関関数及び周波数スペクトルをさらに取得することで、量子デバイスを製造する際に対応する周波数帯域のフィルタを統合することができる。
【００９５】
例示的な実施例では、量子ノイズプロセスのテンソル移転マッピングが抽出された後に、それに基づいてターゲット量子系における異なる量子デバイス間の相関ノイズを解析し、相関ノイズのノイズ源を知ることができる。このプロセスは、以下のステップを含んでもよい。
【００９６】
１．ターゲット量子系に含まれるｓ個の量子デバイスについて、該ｓ個の量子デバイスのそれぞれに対応するテンソル移転マッピングに基づいて、該ｓ個の量子デバイス間の相関テンソル移転マッピングを計算し、ｓは１よりも大きい整数である。
【００９７】
２．相関テンソル移転マッピングに基づいて、該ｓ個の量子デバイス間の相関ノイズのノイズ源を解析する。
【００９８】
１つの量子系は複数の量子デバイスを含むことができる。量子ビットは、２つの量子状態のみを含む最も簡単な量子デバイスである。テンソル移転マッピングを用いることで、同一の量子系における複数の量子デバイス間のノイズの相関を完成させることができる。以下は、主に２つの量子デバイスの場合を紹介するが、他の場合に適用されてもよく、例えば本発明の実施例に係る方法に従って任意の２つの量子デバイス間のノイズの相関、又は任意の３つ以上の量子デバイス間のノイズの相関を判定してもよい。
【００９９】
任意の２つの量子系（又は量子デバイス）の動力学的なマッピングは、以下のように分解されてもよい。
【０１００】
【数３２】
2021533519.tif 000045
ここで、εｎ，１は第１量子デバイスの動力学的なマッピングを表し、εｎ，２は第２量子デバイスの動力学的なマッピングを表し、δεｎは分離できない部分（ｕｎｓｅｐａｒａｔｅｄ  ｐａｒｔ）であり、相関ノイズ（ｃｏｒｒｅｌａｔｅｄ  ｎｏｉｓｅ）の影響を表す。以上の動力学的なマッピングの分解は、Ｃｈｏｉ行列の形式で動力学的なマッピングεｎ→χｎを表してもよく、即ち、χｎは、Ｃｈｏｉ行列（Ｃｈｏｉ  ｍａｔｒｉｘ）であり、動力学的なマッピングの等価表示であり、Ｃｈｏｉ行列のトレースを取得する。
【０１０１】
【数３３】
2021533519.tif 000046
、
【０１０２】
【数３４】
2021533519.tif 000047
、又は。
【０１０３】
【数３５】
2021533519.tif 000048
次に、単一の量子デバイスのＣｈｏｉ行列χｎ，ｉを動力学的なマッピングに戻して表現する。２つの量子デバイスの動力学的なマッピングεｎは、何れもこの２つの量子デバイスに対して共同の量子プロセストモグラフィを行うことで取得されてもよい。δεｎは相関ノイズを解析するために用いられてもよい。２次摂動の場合、通常、δεｎのノルムは
2021533519.tif 000049
よりも遥かに小さい。非摂動の領域では、δεｎのノルムと
2021533519.tif 000050
のノルムとは略等しい場合があり、｜δεｎ｜は
2021533519.tif 000051
よりも遥かに大きい場合がある。このため、純粋な量子プロセストモグラフィは、相関ノイズの強度について予備的な判定を行うことができる。しかし、全てのデータが混在しているため、相関ノイズのノイズ源を解析することは困難である。通常、２つの量子デバイス間の相関ノイズの発生源は、（１）２つの量子デバイス間の直接結合により生成される相関ノイズ、（２）２つの量子デバイスにより共有環境を介して誘発された相関ノイズ、（３）上記の両方を含む。
【０１０４】
本発明の実施例は、相関ノイズに関するより多くの情報を取得することができる、テンソル移転マッピングに基づく相関ノイズの解析方法を提供する。まず、
2021533519.tif 000052
により、分離可能なテンソル移転マッピング
2021533519.tif 000053
を計算する。
【０１０５】
【数３６】
2021533519.tif 000054
【０１０６】
【数３７】
2021533519.tif 000055
ここで、
【０１０７】
【数３８】
2021533519.tif 000056
となり、δＴｎはテンソル移転マッピングのノイズ相関部分（ｎｏｉｓｅ  ｃｏｒｒｅｌａｔｉｏｎ  ｉｎ  ｔｒａｎｓｆｅｒ  ｔｅｎｓｏｒ  ｍａｐ）である。同様に、δＴｎを以下のように分解してもよい。
【０１０８】
【数３９】
2021533519.tif 000057
ここで、リウビルハイパー演算子δＬは、２つの量子デバイス間の直接の結合により生成された相関ノイズがあるか否かを示し、δκｎは共有環境により誘発された相関ノイズを表す。δＬにより引き起こされる結合増分とδｔとが線形関係であり、δκｎにより引き起こされる結合増分とδｔ２とが線形関係であることが分かる。２つの異なるタイムステップ長さδｔ及びδｔ’を選択し、２つの異なる動力学的なマッピングε１及びε１’を生成し、相関ノイズのノイズ源を判断してもよい。相関ノイズがフォールトトレラント量子計算への影響が大きいことを考慮すると、本発明に係る技術は、相関ノイズをより良く知り、それを制御するために、δＬ及びδκｎについて異なるノイズ抑制スキームを設計する。
【０１０９】
例えば、量子プロセストモグラフィにより、ターゲット量子系における２つの量子デバイスの共同動力学的なマッピングεｎを取得し、テンソル移転マッピングＴｎをさらに取得し、εｎにより２つの量子デバイスについてトレースをそれぞれ求めることで、εｎ，１及びεｎ，２、並びに
【０１１０】
【数４０】
2021533519.tif 000058
を取得することができる。そして、
【０１１１】
【数４１】
2021533519.tif 000059
により
2021533519.tif 000060
を取得する。最後に、
【０１１２】
【数４２】
2021533519.tif 000061
を取得する。
【０１１３】
そして、２組の異なる時間ステップ長さδｔ及びδｔ’
を考慮する。
【０１１４】
【数４３】
2021533519.tif 000062
そして、δＬ及びδκｎをそれぞれ求める。
【０１１５】
以上のことから、本発明に係る技術では、量子ノイズプロセスのテンソル移転マッピングが抽出された後に、それに基づいてターゲット量子系における異なる量子デバイス間の相関ノイズをさらに解析し、相関ノイズのノイズ源を知り、相関ノイズを抑制するための対応するスキームを設計することができる。
【０１１６】
本発明の技術の有効性をさらに検証するために、典型的なモデルに対して数値解析を行う。その後、ＩＢＭのＱｕａｎｔｕｍ  Ｅｘｐｅｒｉｅｎｃｅ（Ｑｕａｎｔｕｍ  ＥｘｐｅｒｉｅｎｃｅはＩＢＭにより提供される量子コンピューティング・クラウド・プラットフォームである）において本発明の技術を用いて実際の超伝導量子ビットを実験的に観察し、その中からノイズプロセスに関する情報を抽出した。
【０１１７】
典型的なモデルに対して数値解析を行った結果は以下の通りである。
【０１１８】
ケース１：単一の量子ビットの純粋な位相デコヒーレンスでの数値シミュレーション
図３には、
【０１１９】
【数４４】
2021533519.tif 000063
とする場合の、単一の量子ビットが自由に進化するテンソル移転マッピングの結果を示している。図３の（ａ）は、テンソル移転マッピングのＦｒｏｂｅｎｉｏｕｓノルムの経時的な変化を示し、この図から分かるように、ｔ１→ｔ６の範囲内のテンソル移転マッピングの寄与が重要であり、即ちノイズプロセスが非マルコフの性質を示している。図３の（ｂ）の線３１は、初期状態
2021533519.tif 000064
に対応する密度行列の非対角要素の実数部の経時的な変化を表す。線３２、線３３及び線３４は様々なテンソル移転マッピングの長さ（即ち、Ｋはそれぞれ１、３、５の場合）の密度行列についての予測効果をそれぞれ示している。この図から分かるように、Ｋを５とする場合、テンソル移転マッピングにより得られた進化が正確な解と良く重なり、長期間の実験的進化を十分に予測することができる。
【０１２０】
また、図４はブロッホ体積の経時的な変化を示している。ブロッホ体積Ｖ（ｔ）は、一定期間（ｔ４、ｔ５、ｔ６）内で増加し、該動力学的なプロセスの非マルコフ特性を明確に示しており、図３の結論を証明している。
【０１２１】
ケース２：単一の量子ビットの純粋な位相デコヒーレンスでのノイズ相関関数の抽出
【０１２２】
【数４５】
2021533519.tif 000065
とし、単一の量子ビットが自由に進化するテンソル移転マッピング方法により量子ノイズプロセスの周波数スペクトル（環境ノイズスペクトルに相当）を取得する。図５の（ａ）は、量子系と環境とが弱く結合している場合の、ノイズ相関関数Ｃｚｚ（ｔ）の経時的な変化を示している。線５１はノイズ相関関数の正確な理論的な結果を示し、各円は
2021533519.tif 000066
の仮定で記憶カーネルから得られた数値結果を示している。以上から分かるように、弱い結合の場合、テンソル移転マッピングにより得られた二次近似での記憶カーネルが量子ノイズプロセスを良く表現できる。
【０１２３】
図５の（ｂ）では、
【０１２４】
【数４６】
2021533519.tif 000067
とし、量子系と環境とが強く結合している場合の、特定の時点Ｃｚｚ（ｔ＝１５δｔ）のノイズ相関関数がノイズシステム結合強度Ｃｚｚ（０）＝λに伴って変化する結果を示している。線４２は正確な理論的な結果である。線５３は、１種類目の数値結果を示し、即ち、
2021533519.tif 000068
と直接仮定し、強い結合の場合に実際のノイズスペクトルとの間に大きな差があることが分かった。線５４は、２種類目の結果を示し、即ち、
2021533519.tif 000069
と直接仮定し、検討された強い結合の場合であっても、テンソル移転マッピングにより得られた記憶カーネルは、高次を考慮して実際のノイズスペクトルを良く反映できる。
【０１２５】
ケース３：単一の量子ビットのビット・フリップ・ノイズでの相関関数の抽出
【０１２６】
【数４７】
2021533519.tif 000070
とし、単一の量子ビットが自由に進化するテンソル移転マッピング方法により量子ノイズプロセスの周波数スペクトル（環境ノイズスペクトルに相当）を取得する。なお、この場合は、ノイズは純粋な位相デコヒーレントノイズではない。図６に示すように、円で示されているテンソル移転マッピングの記憶カーネルから取得された相関関数
【０１２７】
【数４８】
2021533519.tif 000071
は、線６１で示されている実際のノイズスペクトルと非常に一致している。この一連のシミュレーションから分かるように、環境ノイズによる影響が純粋なデフェージングを超え、例えばＢｘ（ｔ），Ｂｙ（ｔ）の場合、テンソル移転マッピングの記憶カーネルに基づいてノイズスペクトルを推定する方法は、依然として適用できる。
【０１２８】
ケース４：デュアル量子ビットでの２つの純粋なデフェージングモデルにおける２つの量子ビットが自由に進化するテンソル移転マッピングの結果
図７の（ａ）は、ｚ方向に互いに結合している２つの量子ビットがそれぞれ独立した環境ノイズにあり、この２つの量子ビットが自由に進化するテンソル移転マッピングの結果を示している。
【０１２９】
システムハミルトニアンは、
【０１３０】
【数４９】
2021533519.tif 000072
であり、環境ハミルトニアンは、
【０１３１】
【数５０】
2021533519.tif 000073
であり、相関関数は、
【０１３２】
【数５１】
2021533519.tif 000074
である。
【０１３３】
線７１、線７２及び線７３は、完全なテンソル移転マッピングＴｎ、分離可能なテンソル移転マッピング
2021533519.tif 000075
及び相関テンソル移転マッピングδＴｎをそれぞれ表す。この図に示すように、相関テンソル移転マッピングの１番目の項目、即ちδＴ１のみが非自明である。言い換えれば、結果から分かるように、独立したノイズ環境でのテンソル移転マッピングの相関部分が実質的にマルコフ性のものである。更なる解析から分かるように、ノイズ源が空間的に分離され、或いは互いに独立する場合であっても、δＬｓにより生じた２つの量子のエンタングルメントが相関のデコヒーレンス効果につながる。
【０１３４】
図７の（ｂ）は、直接結合されていない２つの量子ビットが相関する環境ノイズにあり、この２つの量子ビットが自由に進化するテンソル移転マッピングの結果を示している。
【０１３５】
システムハミルトニアンは、
【０１３６】
【数５２】
2021533519.tif 000076
であり、環境ハミルトニアンは、
【０１３７】
【数５３】
2021533519.tif 000077
である。
【０１３８】
線７４、線７５及び線７６は、完全なテンソル移転マッピングＴｎ、分離可能なテンソル移転マッピング
2021533519.tif 000078
、及び相関テンソル移転マッピングδＴｎをそれぞれ表す。この場合、複数のδＴｎは非自明である。解析により分かるように、δＫ（ｔ１）はδＴ１への主な貢献要素である。よって、テンソル移転マッピングの仕様の時間に伴う分布に基づいて、集合的なデコヒーレンスにつながる様々な物理的メカニズムの相対的な重要性を直接推定できる。
【０１３９】
ケース５：デュアル量子ビットでのテンソル移転マッピングの開放系の動力学的な予測の有効性。
【０１４０】
δＴｎの重要性を調べるために、図８は、２つの量子ビットの密度行列の非対角行列要素の動力学的な進化を示している。長さがＫ（即ち、Ｋはそれぞれ１、８、１６とする）のテンソル移転マッピングによる物理状態の予測結果と実際の動力学的なシミュレーション結果とを対比する。図８（ａ）、（ｂ）は、１種類目のモデルにおける完全なテンソル移転マッピング及び分離可能なテンソル移転マッピングに基づく
【０１４１】
【数５４】
2021533519.tif 000079
の予測結果をそれぞれ示している。図８の（ｃ）、（ｄ）は、２種類目のモデルにおける完全なテンソル移転マッピング及び分離可能なテンソル移転マッピングに基づく
【０１４２】
【数５５】
2021533519.tif 000080
予測結果をそれぞれ示している。この２つの場合、集合的なデコヒーレンス（ｃｏｌｌｅｃｔｉｖｅ  ｄｅｃｏｈｅｒｅｎｃｅ）の効果は、何れも
2021533519.tif 000081
により単独して表現できない。図７から分かるように、δＴｎ全体が非常に小さく、影響がない。しかし、δＴｎの物質の状態に対する予測は依然として重要な役割を果たしている。これによって、高度な非マルコフシステムの複雑な特性が証明されている。
【０１４３】
また、本発明の技術の実用性を検証するために、ＩＢＭのＱｕａｎｔｕｍ  Ｅｘｐｅｒｉｅｎｃｅでテストを実施した。ＩＢＭ  Ｑｕａｎｔｕｍ  Ｅｘｐｅｒｉｅｎｃｅは、ＩＢＭにより提供される超伝導量子コンピューティング・クラウド・プラットフォームであり、全ての計算は実際の超伝導量子コンピュータで実行される。超伝導量子ビットの場合、量子ゲートの動作時間が環境の関連時間に比べて長すぎ（〜１００ｎｓ）、一方ではノイズプロセスが純粋な位相デコヒーレントではないため、ＣＰＭＧ動力学的なデカップリングに基づく周波数スペクトルの抽出方法は適用できない。
【０１４４】
図９は、ＩＢＭ量子コンピューティング・クラウド・プラットフォーム「ｉｂｍｑ  １６  Ｍｅｌｏｕｒｎｅ」での単一の量子ビットの自由進化のテンソル移転マッピングの研究を示している。ここで、δｔ＝２．２μｓとなる。図９の（ａ）は、テンソル移転マッピングの仕様の時間に伴う分布を示している。図９の（ｂ）は状態
2021533519.tif 000082
の動力学的な進化を示し、線９１は実験結果である。線９２、線９３及び線９４は、それぞれ（１、３、５）個のテンソル移転マッピングによる
2021533519.tif 000083
進化の予測結果である。記憶カーネルのタイムスケールはμｓレベルであり、１００ｎｓの量子ゲート時間に比べて短くないことが分かる。
【０１４５】
図１０は、単一の量子ビットのブロッホ体積Ｖ（ｔ）の時間に伴う分布を示している。短い増加は、量子系の非マルコフ特性を示している。
【０１４６】
図１１は、ＩＢＭ量子コンピューティング・クラウド・プラットフォーム「ｉｂｍｑ  １６  Ｍｅｌｏｕｒｎｅ」での単一の量子ビットの動的なデカップリング（ＤＤ）の進化を示し、ここで、δｔ＝２．６４μｓとなる。ＸＹ４ＤＤプロトコルにおける４つの初期状態（ａ）
【０１４７】
【数５６】
2021533519.tif 000084
、（ｂ）
【０１４８】
【数５７】
2021533519.tif 000085
、（ｃ）
【０１４９】
【数５８】
2021533519.tif 000086
及び（ｄ）
【０１５０】
【数５９】
2021533519.tif 000087
の３つのスピン方向の測定結果を示している。量子コヒーレンスの拡張を観察することができる。
【０１５１】
図１２は、ＩＢＭ量子コンピューティング・クラウド・プラットフォーム「ｉｂｍｑ  １６  Ｍｅｌｏｕｒｎｅ」での単一の量子ビットの動的なデカップリング（ＤＤ）の進化を示し、ここで、δｔ＝２．６４μｓとなる。ＸＹ４ＤＤプロトコルにおけるテンソル移転マッピングの仕様の時間に伴う分布を示している。ここで、量子コヒーレンスの拡張の内部メカニズムは、このテンソル移転マッピングにより反映され、ＸＹ４ＤＤプロトコルにおける有効なノイズは、自由進化の結果に比べてより多くのマルコフ特性を持っている。
【０１５２】
図１３は、ＩＢＭ量子コンピューティング・クラウド・プラットフォーム「ｉｂｍｑ  １６  Ｍｅｌｏｕｒｎｅ」での２つの量子ビットの自由進化のテンソル移転マッピングの研究を示し、ここで、δｔ＝２．２μｓとなる。完全なテンソル移転マッピング｜Ｔｎ｜、分離可能なテンソル移転マッピング
2021533519.tif 000088
、及び相関テンソル移転マッピング｜δＴｎ｜の仕様の時間に伴う分布を示している。この一連の実験から分かるように、テンソル移転マッピングは比較的に長い時間スケールで非自明であり、強い非マルコフ特性を持っている。数値シミュレーションの結果を考慮すると、ＩＢＭ量子クラウド・プラットフォーム上の２つの隣接するビットは、ビット間の結合を有し、環境ノイズの相関も有すると考えられる。
【０１５３】
図１４は、ＩＢＭ量子コンピューティング・クラウド・プラットフォーム「ｉｂｍｑ  １６Ｍｅｌｏｕｒｎｅ」での２つの量子ビットの自由進化のテンソル移転マッピングの研究を示し、ここで、δｔ＝２．２μｓとなる。黒い点で構成された黒い線は密度行列の進化の実験結果であり、円、三角形、正方形で構成された３本の線は、それぞれ（１、２、４）個のテンソル移転マッピングを選択した密度行列の進化を予測する効果である。図１４における（ａ）、（ｂ）は、初期状態が非エンタングルメント状態
【０１５４】
【数６０】
2021533519.tif 000089
の場合の完全なテンソル移転マッピング及び分離可能なテンソル移転マッピングに基づく予測結果をそれぞれ示している。図１４（ｃ）、（ｄ）は、初期状態がエンタングルメント状態
【０１５５】
【数６１】
2021533519.tif 000090
の場合の完全なテンソル移転マッピング及び分離可能なテンソル移転マッピングに基づく予測結果をそれぞれ示している。相関テンソル移転マッピングを含まない場合、エンタングルメント状態又は非エンタングルメント状態であっても、その進化を正確に予測できないことが分かる。δＴ１についての更なる解析から分かるように、δＬｓは重要な寄与を持っており、そもそも２つの量子ビット間に結合が存在することを意味する。
【０１５６】
以下は、本発明の方法の実施例を実行するための本発明の装置の実施例を説明する。本発明の装置の実施例に開示されていない詳細について、本発明の方法の実施例を参照してもよい。
【０１５７】
図１５は本発明の１つの実施例に係る量子ノイズプロセスの解析装置のブロック図である。該装置は、上記の方法の例を実現する機能を有し、該機能は、ハードウェアにより実現されてもよいし、ハードウェアにより対応するソフトウェアを実行することによって実現されてもよい。該装置は、コンピュータ機器であってもよいし、コンピュータ装置に設置されてもよい。該装置１５００は、取得モジュール１５１０、抽出モジュール１５２０、及び解析モジュール１５３０を含んでもよい。
【０１５８】
取得モジュール１５１０は、ターゲット量子系の量子ノイズプロセスに対して量子プロセストモグラフィを行い、該量子ノイズプロセスの動力学的なマッピングを取得する。
【０１５９】
抽出モジュール１５２０は、該動力学的なマッピングから該量子ノイズプロセスのテンソル移転マッピングを抽出する。該テンソル移転マッピングは、該量子ノイズプロセスの動力学的な進化を表す。
【０１６０】
解析モジュール１５３０は、該テンソル移転マッピングに基づいて該量子ノイズプロセスを解析する。
【０１６１】
以上のことから、本発明に係る技術では、量子ノイズプロセスに対して量子プロセストモグラフィを行い、量子ノイズプロセスの動力学的なマッピングを取得し、量子ノイズプロセスの動力学的なマッピングから量子ノイズプロセスのテンソル移転マッピングをさらに抽出する。テンソル移転マッピングは、量子ノイズプロセスの動力学的な進化を表し、即ち、量子ノイズプロセスの動力学的なマッピングの経時的な進化法則を反映する。これによって、純粋な量子プロセストモグラフィに比べて、量子ノイズプロセスに関するより豊富、且つ全面的な情報を取得することができるため、量子ノイズプロセスのテンソル移転マッピングに基づいて量子ノイズプロセスを解析する際に、より豊富、且つ全面的な情報に基づいて量子ノイズプロセスをより正確、且つ全面的に解析することができる。
【０１６２】
可能な態様では、該動力学的なマッピングは、該量子ノイズプロセスのＫ個の時点での動力学的なマッピングを含み、該Ｋは正の整数である。
【０１６３】
抽出モジュール１５２０は、該量子ノイズプロセスの該Ｋ個の時点での動力学的なマッピングに基づいて、該量子ノイズプロセスの該Ｋ個の時点でのテンソル移転マッピングを計算する。
【０１６４】
可能な態様では、抽出モジュール１５２０は、以下の式に従って該量子ノイズプロセスのｎ番目の時点でのテンソル移転マッピングＴｎを計算する。
【０１６５】
【数６２】
2021533519.tif 000091
ここで、Ｔ１＝ε１、εｎは該量子ノイズプロセスの該ｎ番目の時点での動力学的なマッピングを表し、εｍは該量子ノイズプロセスのｍ番目の時点での動力学的なマッピングを表し、Ｔｎ−ｍは該量子ノイズプロセスのｎ−ｍ番目の時点でのテンソル移転マッピングを表し、ｎ及びｍは何れも正の整数である。
【０１６６】
可能な態様では、図１６に示すように、解析モジュール１５３０は、マルコフ判定サブモジュール１５３１を含む。
【０１６７】
マルコフ判定サブモジュール１５３１は、該量子ノイズプロセスの第１時点でのテンソル移転マッピングのノルムが何れも所定閾値よりも小さい場合、該量子ノイズプロセスがマルコフ過程であると決定する。該第１時点は、該Ｋ個の時点のうちの１番目の時点以外の他の時点である。マルコフ判定サブモジュール１５３１は、該量子ノイズプロセスの第２時点でのテンソル移転マッピングのノルムが前記所定閾値よりも大きい場合、該量子ノイズプロセスが非マルコフ過程であると決定する。該第２時点は、該Ｋ個の時点のうちの１番目の時点以外の少なくとも１つの時点である。
【０１６８】
可能な態様では、図１６に示すように、解析モジュール１５３０は、状態進化予測サブモジュール１５３２を含む。
【０１６９】
状態進化予測サブモジュール１５３２は、該Ｋ個の時点のテンソル移転マッピングに基づいて、該量子ノイズプロセスの後続期間における状態進化を予測する。
【０１７０】
可能な態様では、状態進化予測サブモジュール１５３２は、以下の式に従って該量子ノイズプロセスのｎ番目の時点ｔｎでの量子状態ρ（ｔｎ）を計算する。
【０１７１】
【数６３】
2021533519.tif 000092
ここで、Ｔｍはｍ番目の時点のテンソル移転マッピングを表し、ρ（ｔｎ−ｍ）はｎ−ｍ番目の時点ｔｎ−ｍの量子状態を表し、ｎ及びｍは何れも正の整数である。
【０１７２】
可能な態様では、図１６に示すように、解析モジュール１５３０は、記憶カーネル抽出サブモジュール１５３３、相関関数計算サブモジュール１５３４、及び周波数スペクトル取得サブモジュール１５３５を含む。
【０１７３】
記憶カーネル抽出サブモジュール１５３３は、該量子ノイズプロセスが定常状態ノイズである場合、該テンソル移転マッピングに基づいて、該量子ノイズプロセスの２次記憶カーネルを抽出する。
【０１７４】
相関関数計算サブモジュール１５３４は、該量子ノイズプロセスの２次記憶カーネルに基づいて、該量子ノイズプロセスの相関関数を計算する。
【０１７５】
周波数スペクトル取得サブモジュール１５３５は、該量子ノイズプロセスの相関関数に対してフーリエ変換を行い、該量子ノイズプロセスの周波数スペクトルを取得する。
【０１７６】
可能な態様では、記憶カーネル抽出サブモジュール１５３３は、Ｎ個の異なるパラメータを選択し、該量子ノイズプロセスに対して実験を行い、実験から該Ｎ個の異なるパラメータにそれぞれ対応する記憶カーネルを抽出し、該Ｎ個の異なるパラメータにそれぞれ対応する記憶カーネルに基づいて、該量子ノイズプロセスの２次記憶カーネルを算出する。
【０１７７】
可能な態様では、相関関数計算サブモジュール１５３４は、以下の式に従って該量子ノイズプロセスの相関関数Ｃαα’を数値的に抽出する。
【０１７８】
【数６４】
2021533519.tif 000093
ここで、κ２は該量子ノイズプロセスの２次記憶カーネルを表し、ｔｎはｎ番目の時点を表し、κｅｘｐは実験により取得された近似の２次記憶カーネルを表し、δｔｎ，ｔ０はｎ番目の時点と初期時点との間の間隔時間長さを表し、λｎは調整可能なパラメータであり、Ｃαα’（ｔｎ−１）はｎ−１番目の時点ｔｎ−１での２次相関関数である。
【０１７９】
可能な態様では、図１６に示すように、解析モジュール１５３０は、相関ノイズ解析サブモジュール１５３６を含む。
【０１８０】
相関ノイズ解析サブモジュール１５３６は、該ターゲット量子系に含まれるｓ個の量子デバイスについて、該ｓ個の量子デバイスのそれぞれに対応するテンソル移転マッピングに基づいて、該ｓ個の量子デバイス間の相関テンソル移転マッピングを計算し、該相関テンソル移転マッピングに基づいて、該ｓ個の量子デバイス間の相関ノイズのノイズ源を解析する。該ｓは１よりも大きい整数である。
【０１８１】
なお、上記の実施例に係る装置は、単にその機能を実現する際の上記の各機能モジュールの区分を一例にして説明しているが、実際に応用する際に、必要に応じて上記の機能を異なる機能モジュールで実行してもよく、即ち、上述した全て又は一部の機能を遂行するように、装置の内部構成を異なる機能モジュールに区分してもよい。また、上記の実施例に係る装置は、方法の実施例と同一の思想に属し、その実施プロセスは方法実施例を参照してもよく、ここでその説明を省略する。
【０１８２】
図１７は本発明の１つの実施例に係るコンピュータ機器の構成の概略図である。該コンピュータ機器は、上記の実施例に係る量子ノイズプロセスの解析方法を実施するために用いられる。具体的には以下の通りである。
【０１８３】
コンピュータ機器１７００は、中央処理ユニット（ＣＰＵ）１７０１、ランダムアクセスメモリ（ＲＡＭ）１７０２及び読み取り専用メモリ（ＲＯＭ）１７０３を含むシステムメモリ１７０４、並びにシステムメモリ１７０４及び中央処理ユニット１７０１に接続されるシステムバス１７０５を含む。コンピュータ機器１７００は、コンピュータ内の各デバイス間で情報を伝送するための基本的な入力／出力システム（Ｉ／Ｏシステム）１７０６、並びにオペレーティングシステム１７１３、アプリケーションプログラム１７１４及び他のプログラムモジュール１７１５を記憶するための大容量記憶装置１７０７をさらに含む。
【０１８４】
基本的な入力／出力システム１７０６は、情報を表示するためのディスプレイ１７０８、ユーザが情報を入力するためのマウス、キーボードなどの入力装置１７０９を含む。ディスプレイ１７０８及び入力装置１７０９は、何れもシステムバス１７０５に接続された入力出力コントローラ１７１０を介して中央処理ユニット１７０１に接続されている。基本的な入力／出力システム１７０６は、キーボード、マウス、又は電子スタイラスなどの他の複数のデバイスからの入力を受信及び処理するための入力出力コントローラ１７１０をさらに含んでもよい。同様に、入力出力コントローラ１７１０は、表示画面、プリンタ、又は他のタイプの出力装置への出力をさらに提供する。
【０１８５】
大容量記憶装置１７０７は、システムバス１７０５に接続された大容量記憶コントローラ（図示せず）を介して中央処理ユニット１７０１に接続されている。大容量記憶装置１７０７及びそれに関連するコンピュータ読み取り可能な媒体は、コンピュータ機器１７００に不揮発性ストレージを提供する。即ち、大容量記憶装置１７０７は、ハードディスク又はＣＤ−ＲＯＭドライブなどのコンピュータ読み取り可能な媒体（図示せず）を含んでもよい。
【０１８６】
なお、コンピュータ読み取り可能な媒体は、コンピュータ記憶媒体及び通信媒体を含んでもよい。コンピュータ記憶媒体は、例えばコンピュータ読み取り可能な命令、データ構造、プログラムモジュール、又はその他のデータなどの情報を記憶するための任意の方法又は技術で実現される揮発性及び不揮発性、取り外し可能及び取り外し不可能な媒体を含む。コンピュータ記憶媒体は、ＲＡＭ、ＲＯＭ、ＥＰＲＯＭ、ＥＥＰＲＯＭ、フラッシュメモリ又はその他のソリッドステートストレージテクノロジ、ＣＤ−ＲＯＭ、ＤＶＤ又はその他の光ストレージ、テープカートリッジ、磁気テープ、ディスクストレージ、又はその他の磁気ストレージデバイスを含む。なお、当業者が分かるように、コンピュータ記憶媒体は上記のものに限定されない。上記のシステムメモリ１７０４及び大容量記憶装置１７０７は、メモリと総称されてもよい。
【０１８７】
本発明の各実施例では、コンピュータ機器１７００は、さらに、動作するために、インターネットなどのネットワークを介してネットワーク上の遠隔コンピュータに接続されてもよい。即ち、コンピュータ機器１７００は、システムバス１７０５に接続されたネットワークインターフェースユニット１７１１を介してネットワーク１７１２に接続されてもよく、言い換えれば、ネットワークインターフェースユニット１７１１を用いて他のタイプのネットワーク又はリモートコンピュータシステム（図示せず）に接続されてもよい。
【０１８８】
該メモリには少なくとも１つの命令、少なくとも１つのプログラム、コードセット又は命令セットがメモリに記憶され、少なくとも１つの命令、少なくとも１つのプログラム、コードセット又は命令セットは、上記の実施例に係る量子ノイズプロセスの解析方法を実現するように、１つ又は１つ以上のプロセッサにより実行される。
【０１８９】
例示的な実施形態では、コンピュータ読み取り可能な記憶媒体をさらに提供する。該記憶媒体には、少なくとも１つの命令、少なくとも１つのプログラム、コードセット又は命令セットが記憶され、該少なくとも１つの命令、少なくとも１つのプログラム、コードセット又は命令セットは、コンピュータ機器のプロセッサにより実行される際に、上記の実施例に係る量子ノイズプロセスの解析方法を実現する。例示的な実施例では、上記のコンピュータ読み取り可能な記憶媒体は、ＲＯＭ、ＲＡＭ、ＣＤ−ＲＯＭ、磁気テープ、フロッピーディスク、光データ記憶装置などであってもよい。
【０１９０】
例示的な実施例では、コンピュータプログラムプロダクトをさらに提供する。該コンピュータプログラムプロダクトが実行される際に、上記の実施例に係る量子ノイズプロセスの解析方法を実現する。
【０１９１】
なお、本明細書で言及される「複数」は、２つ以上を指す。「及び／又は」は、関連付けられたオブジェクトの関連付け関係を表し、例えばＡ及び／又はＢは、Ａのみが存在すること、ＡとＢが同時に存在すること、Ｂが単独で存在することの３種類の存在関係を表してもよい。文字「／」は通常、関連するオブジェクトが「又は」の関係にあることを表す。また、本明細書で説明されるステップの番号付けは、単にステップ間の実行の可能な順序を例示的に示し、他の実施例では、上記のステップは、２つの異なる番号の順序で実行されなくてもよく、例えば２つの異なる番号のステップが同時に実行されてもよいし、２つの異なる番号のステップが図示する順序とは逆の順序で実行されてもよく、本発明の実施例はこれらに限定されない。
【０１９２】
以上は、単なる本発明の例示的な実施例であり、本発明を限定することを意図するものではない。本発明の主旨及び原則の範囲内で行われる如何なる変更、均等的な置換、改善などは、本発明の保護範囲内のものである。
【図１】
2021533519.tif 000097
【図２】
2021533519.tif 000098
【図３】
2021533519.tif 000099
【図４】
2021533519.tif 000100
【図５】
2021533519.tif 000101
【図６】
2021533519.tif 000102
【図７】
2021533519.tif 000103
【図８】
2021533519.tif 000104
【図９】
2021533519.tif 000105
【図１０】
2021533519.tif 000106
【図１１】
2021533519.tif 000107
【図１２】
2021533519.tif 000108
【図１３】
2021533519.tif 000109
【図１４】
2021533519.tif 000110
【図１５】
2021533519.tif 000111
【図１６】
2021533519.tif 000112
【図１７】
2021533519.tif 000113
【国際調査報告】
2021533519.tif 000114
2021533519.tif 000115
2021533519.tif 000116
2021533519.tif 000117
2021533519.tif 000118
2021533519.tif 000119